(57)【要約】  【課題】冷蔵室温度センサーで圧縮機を制御する冷蔵庫において、簡素な構造で低外気温時の冷蔵室の温度補償を行なう。  【解決手段】本発明は、冷蔵室２・冷凍室１０の複数の室を持ち、冷蔵室温度センサー１で圧縮機３を制御する冷蔵庫において、霜取りヒーター１４を蒸発器８の霜取り用途と併せて、庫内温度補償ヒーター（庫内負荷）として代用・兼用して、動作・通電させる事で庫内温調を適正化して、また複数の部品・装置を削減し、組立性を向上させることで低コスト化を図ることができる。【選択図】図１
2008157520.tif 000002
【特許請求の範囲】
【請求項１】
冷蔵室と冷凍室を有し、圧縮機と蒸発器と送風機とで冷却する冷蔵庫において、前記冷蔵室内の冷蔵室温度センサーで前記圧縮機の運転を制御するとともに、前記蒸発器の近傍に霜取りヒーターを備え、前記霜取りヒーターを前記冷蔵室の庫内温度補償ヒーターとして兼用することを特徴とした冷蔵庫。
【請求項２】
前記霜取りヒーターを前記庫内温度補償ヒーターとして兼用する際、外気温度センサーを用いて、低外気温度時のみ通電させる事を特徴とした請求項１に記載の冷蔵庫。
【請求項３】
前記霜取りヒーターの通電は、所定時間通電させて終了する事を特徴とした請求項２に記載の冷蔵庫。
【請求項４】
前記蒸発器の近傍に温度センサーを備え、前記霜取りヒーターの通電は、前記温度センサーがマイナス温度で終了させる事を特徴とする請求項１から３のいずれか一項に記載の冷蔵庫。
【発明の詳細な説明】
【技術分野】
【０００１】
本発明は冷蔵室の庫内温度で圧縮機の運転を制御する冷蔵庫に関するものである。
【背景技術】
【０００２】
近年、冷蔵庫を使用する環境・用途は多様化しており、また求められる品質も厳しいものとなってきている。その一方で安価な冷蔵庫が求められている。
【０００３】
冷蔵室の庫内温度センサー、冷蔵庫設置近傍の外気温度センサーと、冷蔵室の庫内温度調整装置を持ち、冷蔵室下部に配置された温度補償ヒーターを圧縮機起動毎に冷蔵室の庫内温度変化状況にあわせ、通電率制御・通電させる事で冷蔵室の適切な温度を確保している冷蔵庫がある（例えば、特許文献１参照）。
【０００４】
以下、図面を参照しながら、上記従来の冷蔵庫について説明する。
【０００５】
図３は、特許文献１に記載された従来の冷蔵庫の冷蔵室温度制御装置のブロック図である。
【０００６】
冷凍室の温度センサー４２検知温度に基づいて圧縮機５１及び送風機の動作を制御し、冷蔵室の温度センサー４３検知温度に基づいて冷蔵室への冷気供給量を制御するようにした冷蔵庫において、庫外温度低下時における冷蔵室の過冷却を防止するために、冷蔵室の下部に配置された温度補償ヒーター３４と、庫外の温度を検出する庫外（外気）温度センサー４５と、圧縮機５１の起動毎に前記温度補償ヒーターの通電率を定め、前記庫外温度センサーで検出された庫外温度が基準温度より低いときにこの定められた通電率で前記ヒーターに通電する制御装置４６とを備えた冷蔵庫の冷蔵室温度制御装置を用いて冷蔵室の温度を確保している。
【特許文献１】特開平５−２４０５４７号公報
【発明の開示】
【発明が解決しようとする課題】
【０００７】
しかしながら、上記従来の冷蔵庫は、庫外の温度を検出する庫外温度センサー４５と、圧縮機５１の起動毎に前記温度補償ヒーターの通電率を定め、前記庫外温度センサーで検出された庫外温度が基準温度より低いときにこの定められた通電率で前記ヒーターに通電する制御装置４６を備え複数の情報を制御・通電させる為の複数の部品・装置が必要で、部品点数・部品組立点数が多数・複雑化し高額化する課題があった。
【０００８】
そこで、今回の発明は、冷蔵室・冷凍室の複数の室を持ち、冷蔵室温度センサーと外気温度センサーのみで温調制御する冷蔵庫において、庫内温度補償ヒーター・温度調整（設定）部品・装置を持たなくても温調制御を可能にした安価な冷蔵庫を提供することを目的とする。
【課題を解決するための手段】
【０００９】
上記従来の課題を解決するために、本発明の冷蔵庫は、冷蔵室と冷凍室を有し、圧縮機と蒸発器と送風機とで冷却する冷蔵庫において、前記冷蔵室内の冷蔵室温度センサーで前記圧縮機の運転を制御するとともに、前記蒸発器の近傍に霜取りヒーターを備え、前記霜取りヒーターを前記冷蔵室の庫内温度補償ヒーターとして兼用するものである。
【００１０】
これにより、低外気温時の冷蔵室の温度補償を、安価にすることができる。
【発明の効果】
【００１１】
本発明は、冷蔵室温度センサーで圧縮機を制御する冷蔵庫において、温度補償ヒーターを有（通電）しなくても、霜取りヒーターを蒸発器の霜取り用途と併せて、庫内温度補償ヒーター（庫内負荷）として代用・兼用して、動作・通電させる事で庫内温調確保を可能にして、また複数の部品・装置を削減し、組立性を向上させることを実現する。
【発明を実施するための最良の形態】
【００１２】
請求項１に記載の発明は、冷蔵室と冷凍室を有し、圧縮機と蒸発器と送風機とで冷却する冷蔵庫において、前記冷蔵室内の冷蔵室温度センサーで前記圧縮機の運転を制御するとともに、前記蒸発器の近傍に霜取りヒーターを備え、前記霜取りヒーターを前記冷蔵室の庫内温度補償ヒーターとして兼用するものであり、低外気温時の冷蔵室の温度補償を、安価にすることができる。
【００１３】
請求項２に記載の発明は、請求項１に記載の発明において、前記霜取りヒーターを前記庫内温度補償ヒーターとして兼用する際、外気温度センサーを用いて、低外気温度時のみ通電させるものであり、より効率的に冷蔵室の温度補償をすることができる。
【００１４】
請求項３に記載の発明は、請求項２に記載の発明において、前記霜取りヒーターの通電は、所定時間通電させて終了するものであり、さらに効率的に冷蔵室の温度補償をすることができる。
【００１５】
請求項４に記載の発明は、請求項１から３のいずれか一項に記載の発明において、前記蒸発器の近傍に温度センサーを備え、前記霜取りヒーターの通電は、前記温度センサーがマイナス温度で終了させるものであり、通常の霜取りの様にプラス温度まで通電・終了させて完全に除霜しなくても、通電による暖気の自然対流で冷蔵室庫内負荷としてだけの役割とすることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫の縦断面図および制御ブロック図、図２は同実施の形態における冷蔵庫の背面図である。
【００１８】
図１から図２において、１３は冷蔵庫本体を示すものであり、上段の冷蔵室２と下段の冷凍室１０とより成っている。冷凍室１０の背面部には蒸発器８を設置し、その上方には送風機４、蒸発器８下部には霜取りヒーター１４を配置、冷凍室１０の冷凍室吐出口１１と冷蔵室２の冷蔵室吐出ダクト５に分流するよう構成してある。
【００１９】
また、蒸発器８の霜取りヒーター１４よりも下方に冷凍室１０の冷凍室吸込口１２が配置してある。
【００２０】
また、冷蔵室２の背面部には冷蔵室温度センサー１が設置してあり圧縮機３と送風機４を動作制御している。
【００２１】
また、冷蔵庫本体１３の背面部の機械室１５内には、圧縮機３や送風機４の運転制御をする制御基板１６を設置しており、制御基板１６には外気温度を検知するための外気温度センサー１７を直接固定している。
【００２２】
以上のように構成された冷蔵庫について、以下その動作、作用を説明する。
【００２３】
冷蔵室温度センサー１の温度が設定温度よりも高くなれば圧縮機３及び送風機４の運転が開始され、蒸発器８で冷却された冷気が冷蔵室吐出ダクト５、冷蔵室冷気吐出口６を通り冷蔵室２へ送られ、冷蔵室２内を循環したあと蒸発器８へ戻る。そして、冷蔵室温度センサー１が設定温度以下になれば圧縮機３及び送風機４の運転が停止される。
【００２４】
一方、冷凍室１０は圧縮機３及び送風機４の運転中、冷凍室吐出口１１から冷気が送られ、冷凍室１０内を冷却したあと、冷凍室吸込口１２から蒸発器８へと冷気が循環することで所望温度を保つようにしている。
【００２５】
そして、制御基板１６上に積載した外気温度センサー１７によって検知した外気温に応じて、霜取りヒーター１４の通電パターンが霜取りと併用して、庫内温度補償も兼ねて動作・通電により、冷蔵室２の庫内負荷として、圧縮機３及び送風機４の運転時間を適切に制御して、冷蔵室２及び冷凍室１０への適正な冷気供給量・庫内温調が確保できる。
【００２６】
以上のように本実施の形態においては、冷蔵室２と冷凍室１０を有し、圧縮機３と蒸発器８と送風機４とで冷蔵室２と冷凍室１０を冷却する冷蔵庫において、冷蔵室内の冷蔵室温度センサー１で圧縮機３の運転制御をするとともに、冷蔵庫の周囲温度を検知する外気温度センサー１７により、外気温度が低く圧縮機３の運転率が低下しがちな時は、霜取りヒーター１４を庫内温度補償ヒーターとして動作・通電・兼用させて、蒸発器８から生じる暖気が、冷蔵室吐出ダクト５から冷蔵室冷気吐出口６へと自然対流し庫内負荷とすることで、冷蔵室内２の冷蔵室温度センサー１を検知、圧縮機３を動作させることで、特別な制御部品・温度補償ヒーターを用いず、冷蔵室と冷凍室の温度を適正化することができる。
【００２７】
なお、霜取りヒーター１４を庫内温度補償ヒーターとして兼用する際、外気温度センサー１７が所定温度以下の低外気温度時のみ霜取りヒーター１４を通電制御させることで、より効率的に冷蔵室２の温度補償をすることができる。
【００２８】
また、霜取りヒーター１４の通電制御は、所定時間で終了することにより、さらに効率的に冷蔵室２の温度補償をすることができる。
【００２９】
また、蒸発器８の近傍に温度センサー７（霜取りセンサー）を備え、霜取りヒーター１４の通電は、温度センサーがマイナス温度で終了させるものであり、通常の霜取りの様にプラス温度まで通電・終了させて完全に除霜しなくても、通電による暖気の自然対流で冷蔵室庫内負荷としてだけの役割とすることができ、さらに効率的に冷蔵室２の温度補償をすることができる。
【産業上の利用可能性】
【００３０】
以上のように、本発明にかかる冷蔵庫は、高価な温度補償ヒーター・温度制御部品（装置）を搭載しなくても、霜取りヒーターを庫内温度補償ヒーターとして兼用・代用して動作・通電制御することにより冷蔵庫内の温調確保できるもので冷凍冷蔵機器全般の用途にも適用できる。
【図面の簡単な説明】
【００３１】
【図１】本発明による冷蔵庫の実施の形態１における冷蔵庫の縦断面図および制御ブロック図
【図２】同実施の形態における冷蔵庫の背面図
【図３】従来の冷蔵庫の冷蔵室温度制御装置のブロック図
【符号の説明】
【００３２】
１    冷蔵室温度センサー
２    冷蔵室
３    圧縮機
４    送風機
５    冷蔵室吐出ダクト
６    冷蔵室冷気吐出口
７    温度センサー
８    蒸発器
１０  冷凍室
１３  冷蔵庫本体
１４  霜取りヒーター
１６  制御基板
１７  外気温度センサー
【図１】
2008157520.tif 000003
【図２】
2008157520.tif 000004
【図３】
2008157520.tif 000005